(57)【要約】  外側ハウジングと、内側ハウジングと、を含有している無針注射装置であって、内側ハウジングが、外側ハウジングによって摺動可能に支持されている、装置が開示されている。内側ハウジングが、内に保持している流体を射出するためのノズルを含有しているバイアルを支持している。シール・プランジャーを押し出すようになっている、ばね駆動のラムが、内側ハウジングに装備されている。内側ハウジングと外側ハウジングとの間に装備されている皮膚伸張ばねが、内側ハウジングの先端を外側ハウジングから離れるように押し出すのに用いられる。ばね駆動のラムと協働するトリガが、内側ハウジングが発射位置にあるときにのみ、セットした位置からラムを解放するのに用いられる。
2008539862.tif 000002
【特許請求の範囲】
【請求項１】
無針注射装置であって、
内側ハウジングと、中空の外側ハウジングと、皮膚伸張ばねと、トリガと、を含んでおり、
上記内側ハウジングが、先端と後端とを有しており、内側ハウジングの先端が、内部に保持している流体を射出するためのノズルを含有しているバイアルを収納するようになっており、内側ハウジングが、更に、セットした位置から無負荷の位置へと動かすことができる、ばね駆動のラムを有しており、
上記中空の外側ハウジングが、内側ハウジングを摺動可能に支持するようになっており、内側ハウジングが、安全な位置と発射位置との間で、中空の外側ハウジング内で動くものであり、
上記皮膚伸張ばねが、内側ハウジングと外側ハウジングとの間に装備されており、皮膚伸張ばねが、内側ハウジングを安全な位置へと向けて発射位置から離れるように付勢するものであり、
上記トリガが、上記外側ハウジング内に配置されており、トリガが、内側ハウジングが発射位置にあるときに、外側ハウジングを通じて操作することができ、トリガが、内側ハウジングが発射位置にあるときにのみ、ばね駆動のラムと協働して、セットした位置からラムを解放する、ことを特徴とする無針注射装置。
【請求項２】
更に、内側ハウジングの後端とばね駆動のラムとの間に位置する注射液射出ばねを含んでおり、注射液射出が、ばね駆動のラムが内側ハウジングの後端へと向けて動かされたとき、ばね駆動のラムをセットした位置へと向けて動かすように、圧縮される、
請求項１に記載の無針注射装置。
【請求項３】
上記皮膚伸張ばねが、上記注射液射出ばねよりも低剛性を有している、
請求項２に記載の無針注射装置。
【請求項４】
上記皮膚伸張ばねと上記注射液射出ばねとが、それぞれのハウジング内で直列に配置されている、
請求項３に記載の無針注射装置。
【請求項５】
上記トリガが、内側ハウジング内に装備されており、これによって、内側ハウジングとトリガとが、人に握られる中空の外側ハウジングの中で一緒に動く、請求項１に記載の無針注射装置。
【請求項６】
携帯型のばね駆動の無針注射装置であって、
外側ハウジングと、内側ハウジングと、皮膚伸張ばねと、トリガと、を含んでおり、
上記内側ハウジングが、外側ハウジング内に摺動可能に配置されており、内側ハウジングが、準備完了位置と発射位置との間で、外側ハウジング内で動くことができ、内側ハウジングが、先端と後端とを有しており、内側ハウジングの先端が、内部に保持している流体を射出するためのノズルを含有しているバイアルを、収納するようになっており、内側ハウジングが、更に、セットした位置から無負荷の位置へと動くことができるばね駆動のラムを、有しており、
上記皮膚伸張ばねが、内側ハウジングと外側ハウジングとの間に装備されており、皮膚伸張ばねが、内側ハウジングの先端を外側ハウジングから離れるように付勢しており、
上記トリガが、上記外側ハウジングに配置されており、トリガが、内側ハウジングが発射位置にあるときに、外側ハウジングを通じて操作することができ、トリガが、内側ハウジングが発射位置にあるときにのみ、ばね駆動のラムと協働して、セットした位置からラムを解放する、ことを特徴とする無針注射装置。
【請求項７】
上記トリガが、内側ハウジングに枢支されている、
請求項６に記載の無針注射器。
【請求項８】
上記ばね駆動のラムが、頭部を含有しており、
上記注射液射出ばねが、上記頭部と内側ハウジングの後端との間で、内側ハウジング内に配置されている、
請求項１９に記載の無針注射器。
【請求項９】
上記トリガが、上記ラムがセットした位置にあるときに、上記頭部と協働して、頭部の位置を固定する、
請求項８に記載の無針注射器。
【請求項１０】
上記皮膚伸張ばねと上記注射液射出ばねとが、それぞれのハウジング内で直列に配置されている、
請求項８に記載の無針注射器。
【請求項１１】
上記外側ハウジングが、上記内側ハウジングが発射位置にあるときに、トリガを露出させる開口を含有している、
請求項６に記載の無針注射器。
【請求項１２】
上記外側ハウジングが、開口と突起とを含んでおり、上記開口が、上記内側ハウジングが発射位置にあるときに、トリガの部分を開口を通じて露出させるものであり、上記突起が、外側ハウジングから伸びており、突起が、上記内側ハウジングが発射位置となるまでトリガの移動を妨げる、
請求項６に記載の無針注射器。
【請求項１３】
上記外側ハウジングが、突起を含んでおり、上記突起が、上記内側ハウジングが発射位置となるまでトリガの移動を妨げる、
請求項６に記載の無針注射器
【請求項１４】
上記トリガが、リンクを含有しており、上記リンクが、ばね駆動のラムの解放を制御しており、リンクが、リンクが頭部の係合をひき起こすことによってばね駆動のラムがセットした位置にロックされるような第１位置から、リンクが頭部の係合をひき起こすことなくばね駆動のラムがセットされた位置から解放される第２位置へと、動くことができる、請求項１３に記載の無針注射器。
【請求項１５】
領域を通って１回分の流体を射出するための方法であって、
無針注射装置であって、内側ハウジングと、中空の外側ハウジングと、皮膚伸張ばねと、トリガと、バイアルと、を含んでおり、上記内側ハウジングが、先端と後端とを有しており、内側ハウジングの先端が、内部に保持されている流体を射出するためのノズルを含有しているバイアルを、収納するようになっており、内側ハウジングが、更に、セットした位置から無負荷の位置へと動かすことができるばね駆動のラムを、有しており、上記中空の外側ハウジングが、内側ハウジングを摺動可能に収納できるようになっており、内側ハウジングが、安全な位置と発射位置との間で、中空の外側ハウジング内で動くことができ、上記皮膚伸張ばねが、内側ハウジングと外側ハウジングとの間に装備されており、皮膚伸張ばねが、内側ハウジングを安全な位置へと向けて付勢しており、上記トリガが、上記外側ハウジングに配置されており、トリガが、内側ハウジングが発射位置にあるときに、外側ハウジングを通じて操作できるものであり、トリガが、内側ハウジングが発射位置にあるときにのみ、ばね駆動のラムと協働して、セットした位置からラムを解放するものであり、上記バイアルが、内側ハウジング内に配置されており、１回分の流体を保持するようになっており、バイアルが、ノズルに流体を通す内腔を有しており、且つ、皮膚伸張器が、ノズル周りに装備されており、ラムが、バイアルの内腔から流体を打ち出し、且つ、ノズルを通すようになっているプランジャーに、接続されている、無針注射装置を、用意する工程と、
皮膚伸張器を領域の皮膚に向けて置き、内側ハウジングが発射位置になるまで、外側ハウジングを皮膚伸張器に向けて押さえ付け、且つ、外側ハウジングを、皮膚と伸張ばねからの力とに抗して、内側ハウジングの後端に向けて動かす、ということによって、領域に向けて伸張器を押さえる工程であって、皮膚伸張ばねからの力が、ノズルの前で皮膚をピンと張ることをひき起こす工程と、
ラムを解放するようにトリガを押える工程であって、ラムが、プランジャーにバイアル内の腔を通って、バイアルからノズルを通って領域へと流体を射出させる力をかける工程と、
を含んでいる、ことを特徴とする方法。
【請求項１６】
注射液射出が、内側ハウジングの後端とばね駆動のラムとの間に位置付けられており、注射液射出ばねを圧縮し、ばね駆動のラムをセットした位置へと向けて動かすように、ばね駆動のラムを内側ハウジングの後端に向けて動かす、という工程を更に含んでいる、
請求項１５に記載の方法。
【請求項１７】
上記皮膚伸張ばねが、上記注射液射出ばねよりも低剛性を有している、
請求項１６に記載の方法。
【請求項１８】
上記皮膚伸張ばねと上記注射液射出ばねとが、直列に配置されている、請求項１７に記載の方法。
【請求項１９】
更に、注射液射出ばねを含んでおり、上記注射液射出ばねが、内側ハウジングの後端とばね駆動のラムとの間に位置付けられており、注射液射出ばねが、ばね駆動のラムが内側ハウジングの後端に向けて動かされたとき、ばね駆動のラムをセットした位置へと向けて動かすように、圧縮される、
請求項１に記載の無針注射装置。
【発明の詳細な説明】
【技術分野】
【０００１】
本願は、登録になっている米国特許No.10/158,853、発明の名称“無針注射器とアンプルシステム”、２００２年５月３０日出願と、米国特許No.11/185,736、発明の名称“無針注射器とアンプルシステム”、２００５年７月２１日出願と、に関連している。
【０００２】
本発明は、人又は動物の内側に１回分の液体を射出するための無針注射器に概ね関するものである。特に、しかし限定するものではないが、本発明は、人又は動物の表皮を通って、流体の高圧噴射を射出する、ばね駆動の無針注射装置に関するものである。
【背景技術】
【０００３】
無針注射器の利点については、かねてから認識されている。これらの利点の幾つかは、医療従事者にとって有害な針が無いということ、人同士又は動物同士の二次感染の危険が減少されるということ、人又は動物の細胞組織内での注射針の破損の危険が削除されること、噴射が皮下注射針の直径よりも概ね小さなものであるということ、そして、それ故、噴射が皮下注射針よりも痛みが少ないものであるということ、を含有しているものである。
【０００４】
無針注射装置の周知の利点によって、多くの空圧又はガス圧駆動無針注射装置が、患者又は動物に繰り返し投与を与えるために設計されている。最もよく知られている無針注射装置は、細いノズルを通って射出される流体を打ち出すピストンを用いることによって動作するものであり、細いノズルは、高圧であるということだけに起因して皮膚に浸透する、小さな、高圧流を生成する。繰り返し投与装置は、空気又は作動流体の供給源によって動作する。該供給源は、ノズルを通じて液体を打ち出すピストンを動作するのに用いられる。故に、これらの装置の深刻な制限事項は、直ぐに利用することのできる、ピストンを打ち出すための空気又は他の流体の供給源を有しておく必要がある、ということである。このことは、これらの装置を、遠隔地、設備の整っていない不便な病院やクリニックの現場の状況下で使用不可能なものにしている。
【０００５】
ピストンを打ち出すのに高圧流体を用いる注射装置の欠点が原因で、ばね駆動の無針注射装置の開発に対して高い注目が集められていた。周知の装置の成功は、しかしながら、安全性と信頼性との問題に起因して制限されていた。安全に関する問題点は、装置の不測の放出の可能性に概ね関連するものである。そして信頼性の問題は、動物又は人へ射出される周知の１回分の液体を完全に射出する、という装置の能力に概ね関するものである。
【発明の開示】
【発明が解決しようとする課題】
【０００６】
安全性の問題は、露出したトリガを有しており、又は、注射器の内側ハウジングを超えて伸びることができる、ラム又はピストン駆動装置を含有している装置に関して、概ね発生するものである。このタイプの装置を用いることの危険性は、銃器のトリガに関する危険性と同様なものであり、即ち、トリガを不注意で押すことであって、装置の不慮の又は早期の発射を引き起こすことである。
【０００７】
信頼性の問題は、幅広い観点にわたる課題を含有している。ある重要な課題は、流体の適切な噴射又は流れを生成することと、動物又は人の皮膚へ噴射を導くこと、である。好ましくは、噴射は、非常に細い噴射であって、好ましくは９０度の入射角度で誘導された部分の皮膚に衝突するものである。流れのエネルギーの大半は、噴射が皮膚に９０度の角度で衝突したときに、皮膚に浸透するのに用いられる。加えて、流体の噴射を射出する前に誘導された皮膚をピンと張った状態にすることによって、皮膚は、柔軟にならず、故に、噴射からのより多くのエネルギーが、皮膚をゆがめたり、動かしたりする場合よりも皮膚に浸透するのに用いられる。
【０００８】
故に、周知の装置の評価は、装置が皮膚に対して正しい位置に置かれるまでの間、射出することを禁じる、ばね駆動注射装置の必要が依然としてあることを明らかにするものである。
【０００９】
携帯型のばね駆動の無針注射装置であって、皮膚へ噴射を射出できるようにする前に、皮膚を誘導された位置に保持し、噴射を射出するノズルを皮膚に対して９０度で保持する、ということを確実にする装置に対する必要が依然として存在している。
【課題を解決するための手段】
【００１０】
周知技術によって解決されていない課題が、携帯型のばね駆動の無針注射装置であって、次の外側ハウジングと、内側ハウジングと、皮膚伸張ばねと、トリガと、を含有している装置を用意することによって解決できるということが見いだされた。内側ハウジングは、外側ハウジングに摺動可能な状態で支持されている。内側ハウジングは、外側ハウジングに沿って、準備完了位置から発射位置へと、動くことができるものである。内側ハウジングは、先端と後端とを有しており、内側ハウジングの先端は、内包している流体を射出するためのノズルを含有しているバイアルを受け入れるようになっている。内側ハウジングは、更に、セットした位置から無負荷の位置へと動かすことができる、ばね駆動のラムを有している。皮膚伸張ばねは、内側ハウジングと外側ハウジングとの間に装備されている。皮膚伸張ばねは、内側ハウジングの先端を、外側ハウジングから離れるように付勢している。トリガは、内側ハウジングが発射位置にあるとき、外側ハウジングを通じて操作することができる。トリガは、内側ハウジングが発射位置にあるとき、ばね駆動ラムと協働して、セットした位置からラムを解放する。
【００１１】
本発明のかなり好ましい実施例において、トリガ止めは、外側ハウジングに組み込まれている。トリガは、内側ハウジングに装備されている。トリガ止めは、内側ハウジングが発射位置にないときに、トリガの操作を禁じる。トリガ止めの一例は、突起を含有するものである。突起は、外側ハウジングから伸びており、且つ、内側ハウジングが発射位置にないときに、トリガの作動を妨げる。突起は、その後、内側ハウジングが発射位置へと動かされたときに、トリガから離れるように動く。
【００１２】
開示された発明では、一端にコネクタと、他端にノズルと皮膚伸張器と、を含有しているバイアルを用いることが、予期されている。コネクタは、バヨネット型コネクタであることが、予期されている。また、皮膚伸張器は、ノズルを囲むリッジであることが、予期されている。
【００１３】
操作時、使用者は、ラムを、セットした位置にし、バイアルを内側ハウジングの先端に取り付ける。バイアルには、動物又は人に射出する液体が、予め充填されている。その後、使用者は、ノズルと皮膚伸張器とを動物又は人に押しつけ、装置の内側ハウジングを、皮膚伸張器のばねに抗して、外側ハウジングの発射位置へ、又は、関連する位置へと動かす。一度、内側ハウジングが、発射位置へと動かされると、皮膚伸張器のばねが、動物又は人に対して反応し、誘導された皮膚伸張器によって皮膚が引き延ばされるようになる。皮膚伸張器による、この皮膚の引き延ばしは、目標皮膚領域を、バイアルとノズルとに対して、直角に位置付けるものである。内側ハウジングの発射位置への移動は、また、突起がもはやトリガの作動を妨げないといった、内側ハウジングに関連する突起の作動をもたらすものである。その後、使用者がラムを解放するトリガを押すだけで、ラムは、バイアルのノズルを通じて動物又は人の皮膚へと流体を打ち出す。
【００１４】
ラムが、シールされている分離プランジャーを、バイアルを通って打ち出し、バイアルのノズルを通って、バイアル内の流体を吐出することは、予期されていることである。しかし、ラムは、プランジャーの一部又は全部と合体することができる。このことは、プランジャー・シールを、１回限り使用するものとして設計できようにするものであり、好ましくは、ラムが分離プランジャーを打ち出すと、シールが使用済みとなるものである。
【００１５】
そして更に、分離プランジャーの使用は、機械式でセットする装置を使用できるようにする。該装置は、ラムを無負荷の位置からセットした位置へと動かすように、ラムを押さえ付けるものである。
【００１６】
また、本発明の上述した、そして、その他の利点と成果とは、次の詳細な説明と添付図面とを参照することによって、当業者に明らかになるものである、ということを理解すべきである。上記詳細な説明と添付図面とは、ここに記載されたような、より明確には、添付の各請求項に定義されているような、検討された新規な構成と、組合せと、要素とを示すものである。
【発明を実施するための最良の形態】
【００１７】
図１乃至図５を参照すると、携帯型のばね駆動の無針注射装置１０は、先端１４と後端１６とを含有している内側ハウジング１２を、含有している。内側ハウジング１２の先端１４は、バイアル１８を受け入れるようになっている。バイアル１８は、動物又は人の細胞組織２４を覆っている皮膚２２を通じて動物又は人の細胞組織２４に射出される流体２０を、保持するのに用いられている。注意すべきは、ここで用いている“動物”という語は、他の動物と同様に人を含有することを意味するものである、ということである。
【００１８】
図１に説明されているように、内側ハウジング１２は、内側ハウジング１２を摺動可能に支持している外側ハウジング２８内に装備されている。内側ハウジングは、図４に説明されている準備完了位置から、図５に説明されている発射位置へと、動くことができる。
【００１９】
内側ハウジング１２は、内側ハウジング１２と外側ハウジング２８との間に装備されている皮膚伸張ばね３０によって、図４の準備完了位置へと押し出される。皮膚伸張ばね３０は、２つの主な機能を果たす。ばね３０の第１機能は、バイアル１８の構成と協働することによって、動物又は人２４へと流体２０を射出する前に、皮膚２２の位置決めをしている間、誘導された動物の皮膚２２を押さえる、ということである。皮膚伸張ばね３０の第２機能は、トリガ機構３２と協働することによって、装置１０が動物又は人２４の細胞組織を覆う皮膚２２の正しい位置に置かれ、且つ、バイアル１８と皮膚２２との間に適度な圧力又は力がかけられるまで、発射できないようにすることである。
【００２０】
適度な圧力又は力は、皮膚２２に対しバイアル１８を保持するのに用いられるものであり、注射工程において重要な変量である。無針注射装置は、流体の噴射３４が皮膚２２に浸透し、動物又は人２４の細胞へと入るように、十分な高圧と速度とで皮膚２２に流体の噴射３４を射出することによって、動物又は人２４の皮膚２２を通って、流体を射出する能力を有している。
【００２１】
流体の噴射３４を形成する役割を果たす装置の能力を与える重要な要素は、流体の噴射３４へと迅速且つ効率よく移すことができるエネルギーの量と、流体の噴射３４のエネルギーが動物又は人２４の細胞組織を貫くのに効率よく用いることができるようにする、流体の噴射３４の位置を決める装置の能力と、である。流体２０に移されるエネルギーは、注射液射出ばね３６内に蓄えられる。該ばね３６は、流体の噴射３４を形成するノズル４０を通る流体２０に力を作用させる、プランジャー・シール３８をバイアル１８内へと打ち出すものである。注射液射出ばね３６は、ラム４４の頭部５０と、内側ハウジング１２の後端と、の間に位置付けられている。
【００２２】
流体の噴射３４の皮膚２２への最も効率の良い射出を行うため、ノズル４０は、流体の噴射３４が皮膚２２へと射出されるように、皮膚２２に対し、直角に位置付けられるべきである。直角以外の角度で流体の噴射３４を射出するということは、皮膚に当たる流体の噴射に関する力の成分が、皮膚２２へと向かうのではなく、むしろ皮膚に平行になるということを意味する。
【００２３】
図１、２、４乃至６に説明されているように、好ましい例のバイアル１８は、バイアル１８のノズル４０を囲む、皮膚伸張器４２を含有している。説明されている例では、皮膚伸張器４２は、ノズル出口近傍に位置付けられている円盤４３である。
【００２４】
据え付けリング４１が、また、バイアル１８上に示されている。据え付けリング４１は、使用者が、バイアル１８を装置１０へ据え付け、流体の噴射３４が射出されるように、装置１０を皮膚に直角に位置付ける、ことを補助するものである。皮膚伸張器４２は、据え付けリング４１と協働して、流体の噴射３４の射出の前に、装置が皮膚を押さえるように、誘導された皮膚を引っ張る。流体の噴射３４を放つ前に、ある最小量の力が、皮膚を確実にピンと張るのに皮膚に加えられるべきである、ということが見いだされた。
【００２５】
皮膚に加えられるべき力の量は、装置１０を用いて注射される動物の生体特性に依存して変わる。例えば、老人は、皮膚の弾力性の加齢による影響だけに起因して、若者よりも、誘導された皮膚を保持するのに、強い力を要する。従って、開示されている発明は、各皮膚伸張ばねが、特定用途に適切な硬さの、異なる皮膚伸張ばねを用いて製造される、ということが予期されている。皮膚伸張ばねによってかけられる力は、例えば、ばねに予備伸張を与えておくねじである、ねじ型プラグを追加することによって、調節できるように作られる、ということが予期されている。しかし、好ましくは、皮膚伸張ばねによってかけられる力は、末端使用者によっては変更又は置き換えできないものであるが、しかし、組み立て中に予め測定されるものであることが好ましい。装置１０で使用する、外部ハウジング２８と、セットし、動力を蓄える機構とは、特定の注射装置１０のために予め設定されている皮膚伸張力を、使用者に通知するために、色わけされる。
【００２６】
故に、使用時、使用者は、適切な皮膚予備伸張ばね３０と注射液射出ばね３６とを備えている注射装置を選択し、動物の細胞組織に射出する所望の液体を包含しているバイアル１８を選択する。バイアル１８は、内側ハウジング１２の先端１４に、好ましくはバヨネット型コネクタを用いて取り付けられ、そして、プランジャー・シール３８の一部であるシール３８に結合される。プランジャー３８は、ばね駆動のラム４４によってバイアル１８を通るように打ち出される。ラム４４は、図４に説明されている安全なセットした位置から、図５に破線で説明されている無負荷の位置へと、動くことができる。図３に示されているように、ばね駆動のラム４４は、ばね機構３２のラッチ部品を受け入れるためのスロット４９を含有しているスリーブ４７内で支えられた状態で動くものである。
【００２７】
皮膚予備伸張ばね３０と注射液射出ばね３６との変更は、無針注射装置１０を特定の用途に合わせることができるようにするものである。例えば、子供用の無針注射装置１０には、皮膚予備伸張ばね３０と注射液射出ばね３６との、ある特定の組合せがある一方で、大人の男性用の皮膚予備伸張ばね３０と注射液射出ばね３６との組合せは、同様に、違う組合せが存在する。従って、開示されている発明は、種々の動物又は人に用いることができるようになっており、且つ、皮膚予備伸張ばね３０と注射液射出ばね３６とを変更することによって、種々のタイプの注射液の射出、又は、液体の種々の深さへの射出を行うことができるようになっている。
【００２８】
図１、３、５を参照すると、外側ハウジング２８は、開口５６を含有している。トリガ４５は、内側ハウジング１２内に装備されており、開口５６から突き出ており、これによって、使用者によって係合可能になっている。トリガ機構３２は、ラム４４を解放する制御を行うリンク５８（図３）を含有している。図４と図５との比較より理解できるように、１回分の流体の射出を行うための装置１０の射出は、装置１０が図５に説明されている発射位置になった後に、トリガ３２を押さえることによって果たされる。しかし、トリガ機構３２のトリガ４５は、装置１０が図５に説明されている発射位置にあるときにのみ、プランジャー・シール３８を解放することができる。機構５８のトリガリンク５８は、装置１０が準備完了位置のような（発射位置以外の）他の位置にあるときには、ラム４４を解放するために、押さえることができない。ラム４４の解放は、安全、且つ、効率の良い、射出のために、禁じられている。
【００２９】
図４、図５に説明されているように、トリガ機構３２の所望しない活性化は、突起４６をトリガ４５の下に位置決めすることによってなされる。突起４６は、矢印４８方向へのトリガ４５の移動を禁じ、ラム４４の解放を禁じ、そして、装置１０の射出を禁じている。発明の好ましい実施例によると、突起４６は、外側ハウジング２８からトリガ４５下の位置へと伸びている。突起４６は、図５に説明されているように、装置１０が発射位置となるまで、トリガ４５の移動に干渉する。本発明の好ましい実施例では、外側ハウジング２８に関連する内側ハウジング１２の移動は、突起４６を保持している、外側ハウジング２８に関連する（内側ハウジング１２に装備されている）トリガ４５の位置を、動かすものである。
【００３０】
内側ハウジング１２に関連する、外側ハウジング２８の実質同じだけの移動が、皮膚伸張ばね３０の力に抗してなされる。皮膚伸張ばね３０の硬さは、適切な量の力が動物又は人２４の皮膚２２に対し与えられるように、選択されている。皮膚伸張ばね３０の硬さは、周知の式Ｆ＝ｋ×ｘで与えられる。Ｆは、発射位置で要求される力であり、ｘは、（突起４６がトリガ機構３２の作動を妨げない）発射位置に装置を位置付けるための、外側ハウジング２８に関連する、内側ハウジング１２の行程距離であり、ｋは、皮膚伸張ばね３０のばね定数である。
【００３１】
一度、内側ハウジング１２が、外側ハウジング２８に関連して、所望量の皮膚伸張力がバイアル１８に抗して皮膚２２に加えられる位置であって、発射位置でもある位置に、位置決めされる。その後、トリガ４５を押さえる動きは、内側ハウジングが発射位置にあるときにのみ、セットした位置からのばね駆動のラム４４の解放をひき起こす。
【００３２】
図６Ａと図６Ｂとから理解できるように、バイアル１８は、ノズル４０を通る流体の噴射３４を生じる。加えて、バイアル１８は、バイアル１８の本体５４の周りに伸びている、円周硬化リブ５２を含有している。硬化リブは、注射液の射出中のバイアル１８の本体５４のぶれ量を減少するのを助けるものである。
【００３３】
図７、図８を参照することによって、開示されているシステムは、セットし、運搬することを一つにまとめた装置６０と、一緒に用いることができるものである、ということを理解すべきである。セットし、運搬することを行う装置は、ばね駆動のラム４４を、図４に示されている“準備完了”位置へと押さえ付けるのに用いられる、セットするラム６２を含有している。セットし、運搬することを行う装置６０は、セットするラム６２がばね駆動のラム４４に抗して押さえ付けられている間、外側ハウジング２８を保持するクレードル６４を含有している。
【００３４】
セットするラム６２は、ばね駆動のラム４４に抗して押さえ付けられることによって、ばね駆動のラムを、図４に説明されている“準備完了”位置へと動かす。一度、装置がクレードル６４内に置かれ、セットし、運搬することを行う装置６０が閉じられることが行われると、セットし、運搬することを行う装置６０が、無針注射装置１０をセットする、ということを理解すべきである。故に、セットし、運搬することを行う装置６０は、セットする装置と、無針注射装置１０を持ち運び、且つ、収納するケースとして供されるものである。
【００３５】
故に、上述した実施例は、開示された発明を実行するのに用いられた、開示された要素の組合せの多数の変形例の内の幾つかをただ説明しただけのものであると評価することができる。さらにまた、発明が、その好ましい実施例と変形例とを引用して、特に、詳細に示し、記載し、且つ、説明されたものであるが、上述されたものと、その他の変形例とは、唯一例示されただけのものであり、形態、詳細部分についての均等な変更が、請求項に記載されている発明の真の精神と範囲とを逸脱することなく、生成することができる、ということを理解すべきである。
【図面の簡単な説明】
【００３６】
【図１】本発明の装置の実施例の斜視図であり、装置の内側が見えるように、外側ハウジングの一部が除去されているものを示している。
【図２】装置の上面図である。
【図３】本発明の装置の分解図である。
【図４】内側ハウジングを発射位置へと動かす前の準備完了位置にある、図１の装置の断面図である。
【図５】発射位置にある、図１の装置の断面図である。
【図６Ａ】本発明のバイアルとシールとの実施例の斜視図である。
【図６Ｂ】図６Ａのバイアルとシールとの上面図である。
【図７】本発明の無針注射装置を運搬し、セットする装置の斜視図である。
【図８】図７の無針注射装置を運搬し、セットする装置の側面図である。
【図１】
2008539862.tif 000003
【図２】
2008539862.tif 000004
【図３】
2008539862.tif 000005
【図４】
2008539862.tif 000006
【図５】
2008539862.tif 000007
【図６Ａ】
2008539862.tif 000008
【図６Ｂ】
2008539862.tif 000009
【図７】
2008539862.tif 000010
【図８】
2008539862.tif 000011
【国際調査報告】
2008539862.tif 000012